(57)【要約】【課題】遊技機による遊技によって得られた端玉との交換に特に好適な記録媒体、及び当該記録媒体を用いたシステムであって、適宜、ユーザに新しい内容のコンテンツを提供することのできる技術を提供する。【解決手段】遊技機による遊技によって得られた有価価値に対する景品として提供される記録媒体１であって、遊技に関する第一コンテンツと、第一コンテンツに関する第二コンテンツをコンテンツＤＢ３３に記憶し、ネットワークＮＷ上に存在するコンテンツ提供装置３のＵＲＬ情報と、第二コンテンツを識別するためのコンテンツＩＤと、が記録されていることを特徴とする記録媒体１を提供する。【選択図】図３
2012070909.tif 000002
【特許請求の範囲】
【請求項１】
遊技機による遊技によって得られた有価価値に対する景品として提供される記録媒体であって、
上記遊技に関する第一コンテンツと、
上記第一コンテンツに関する第二コンテンツを所定の記憶手段に記憶し、ネットワーク上に存在するコンテンツ提供装置のＵＲＬ情報と、
上記第二コンテンツを識別するためのコンテンツ識別情報と、が記録されている、
ことを特徴とする遊技景品用記録媒体。
【請求項２】
遊技機による遊技によって得られた有価価値に対する景品として提供される記録媒体と、当該記録媒体を再生する再生装置と、上記再生処理装置からの要求に応じて、当該遊技に関する第二コンテンツを提供するコンテンツ提供装置とによって、当該遊技に関連したコンテンツの提供を受けるためのシステムであって、
上記記録媒体には、
上記第一コンテンツと、
上記コンテンツ提供装置のネットワーク上の所在を示すＵＲＬ情報と、
上記第二コンテンツを識別するためのコンテンツ識別情報と、が記録されており、
上記再生装置は、
上記記録媒体から読み込んだＵＲＬ情報に基づき、上記コンテンツ提供装置にアクセスし、上記コンテンツＩＤと関連付けられた第二コンテンツの取得を要求するコンテンツ要求送信手段と、
上記コンテンツ提供装置から、上記コンテンツＩＤと関連付けられた第二コンテンツを受信するコンテンツ受信手段と、
上記第一コンテンツ及び第二コンテンツを再生する再生処理手段と、を有し、
上記コンテンツ提供装置は、
上記第二コンテンツを、上記コンテンツＩＤと関連付けて記憶するコンテンツ情報記憶手段と、
上記再生装置からの要求に応じて、上記コンテンツＩＤと関連付けて記憶されている第二コンテンツを、上記コンテンツ情報記憶手段から抽出する抽出処理手段と、
上記抽出した第二コンテンツを、上記再生処理装置に送信するコンテンツ送信手段と、を有する、
ことを特徴とするコンテンツ提供システム。
【請求項３】
遊技機による遊技によって得られた有価価値に対する景品として提供され、当該遊技に関する第一コンテンツと、当該遊技に関する第二コンテンツを提供するコンテンツ提供装置のネットワーク上の所在を示すＵＲＬ情報と、当該第二コンテンツを識別するコンテンツ識別情報とが記録された記録媒体と、
上記第二コンテンツを、上記コンテンツＩＤと関連付けて記憶するコンテンツ情報記憶手段、を有し、上記第二コンテンツを提供するコンテンツ提供装置と、ネットワークを介して通信可能に構成されコンピュータにより、当該遊技に関連したコンテンツを視聴者に提供する方法であって、
上記記録媒体から読み込んだＵＲＬ情報に基づき、上記コンテンツ提供装置にアクセスし、上記コンテンツＩＤと関連付けられた第二コンテンツの取得を要求する処理と、
上記コンテンツ提供装置から、上記コンテンツＩＤと関連付けられた第二コンテンツを受信する処理と、
上記第一コンテンツ及び第二コンテンツを再生する処理と、を実行し、
上記コンテンツ提供装置は、
上記再生装置からの要求に応じて、上記コンテンツＩＤと関連付けて記憶されている第二コンテンツを、上記コンテンツ情報記憶手段から抽出する処理と、
上記抽出した第二コンテンツを、上記再生処理装置に送信する処理と、を実行する、
ことを特徴とするコンテンツ提供方法。
【請求項４】
遊技機による遊技によって得られた有価価値に対する景品として提供され、当該遊技に関する第一コンテンツと、当該遊技に関する第二コンテンツを提供するコンテンツ提供装置のネットワーク上の所在を示すＵＲＬ情報と、当該第二コンテンツを識別するコンテンツ識別情報とが記録された記録媒体と、
上記第二コンテンツを、上記コンテンツＩＤと関連付けて記憶するコンテンツ情報記憶手段、を有し、上記第二コンテンツを提供するコンテンツ提供装置と、ネットワークを介して通信可能に構成されコンピュータを、当該遊技に関連したコンテンツを視聴者に提供する再生装置として機能させるためのコンピュータプログラムであって、
上記コンピュータに対し、
上記記録媒体から読み込んだＵＲＬ情報に基づき、上記コンテンツ提供装置にアクセスし、上記コンテンツＩＤと関連付けられた第二コンテンツの取得を要求する処理と、
上記コンテンツ提供装置から、上記コンテンツＩＤと関連付けられた第二コンテンツを受信する処理と、
上記第一コンテンツ及び第二コンテンツを再生する処理と、を実行させる、
コンピュータプログラム。
【発明の詳細な説明】
【技術分野】
【０００１】
本発明は、遊技機による遊技の結果得られた有価価値に対する景品として提供される記録媒体、及び当該記録媒体を用いてコンテンツを提供する技術に関する。
【背景技術】
【０００２】
パチンコやスロット等の遊技機による遊技では、得られた有価価値は各種の景品に交換することができる。一方において、所定の玉数あるいは枚数に満たない有価価値、いわゆる、端玉用にも景品が用意されているが、いまひとつ魅力のあるものは提供されていなかった。
【０００３】
ところで、各種の映像や音声、画像等のデジタルコンテンツも、各種の景品として用いられている。デジタルコンテンツは、ネットワークを介したダウンロードによっても提供されているが、景品として提供される場合にはやはり、形がある方が好まれることも多い上、ＣＤやＤＶＤ自体のコストも安いことから、ＣＤやＤＶＤといった形で提供されることも少なくない。
しかしながら、ＣＤやＤＶＤ等でデジタルコンテンツが提供される場合には、デジタルコンテンツが記録時から変わらないため、内容が陳腐化してしまうことも多い。
【０００４】
この点の課題に鑑み、特許文献１では、画像音声情報と、前記画像音声情報を識別するための識別情報と、前記画像音声情報に関するＵＲＬ情報とが記録された記録媒体が提案されている。
また、特許文献２では、配布被対象者に対して広告のために配布される携帯可能な再生機能付記録媒体であって、コンテンツが記録された記録手段と、上記コンテンツを再生する再生手段と、所定の再生条件に基づいて上記コンテンツの再生を制限することにより上記コンテンツを広告として機能させる再生制限手段とを備える再生機能付記録媒体が提案されている。
【先行技術文献】
【特許文献】
【０００５】
【特許文献１】特開２０１０−４９８０１号公報
【特許文献２】特開２００７−３３８８９号公報
【発明の概要】
【発明が解決しようとする課題】
【０００６】
本発明は、上記のような事情のもと、遊技機による遊技によって得られた端玉との交換に特に好適な記録媒体、及び当該記録媒体を用いたシステムであって、適宜、ユーザに新しい内容のコンテンツを提供することのできる技術を提供することを目的とする。
【課題を解決するための手段】
【０００７】
上記目的を達成するため、本発明の一の観点に係る記録媒体は、遊技機による遊技によって得られた有価価値に対する景品として提供される記録媒体であって、上記遊技に関する第一コンテンツと、上記第一コンテンツに関する第二コンテンツを所定の記憶手段に記憶し、ネットワーク上に存在するコンテンツ提供装置のＵＲＬ情報と、上記第二コンテンツを識別するためのコンテンツ識別情報と、が記録されていることを特徴とする。
【０００８】
ここで、遊技機とは、パチンコやスロット等であり、遊技の結果に応じて有価価値を得ることができるものである。
また、第一コンテンツ及び第二コンテンツは、いわゆるうデジタルコンテンツであり、映像や音声、画像等の情報である。
【０００９】
また、本発明の別の観点に係るコンテンツ提供システムは、遊技機による遊技によって得られた有価価値に対する景品として提供される記録媒体と、当該記録媒体を再生する再生装置と、上記再生処理装置からの要求に応じて、当該遊技に関する第二コンテンツを提供するコンテンツ提供装置とによって、当該遊技に関連したコンテンツの提供を受けるためのシステムであって、上記記録媒体には、上記第一コンテンツと、上記コンテンツ提供装置のネットワーク上の所在を示すＵＲＬ情報と、上記第二コンテンツを識別するためのコンテンツ識別情報と、が記録されており、上記再生装置は、上記記録媒体から読み込んだＵＲＬ情報に基づき、上記コンテンツ提供装置にアクセスし、上記コンテンツＩＤと関連付けられた第二コンテンツの取得を要求するコンテンツ要求送信手段と、上記コンテンツ提供装置から、上記コンテンツＩＤと関連付けられた第二コンテンツを受信するコンテンツ受信手段と、上記第一コンテンツ及び第二コンテンツを再生する再生処理手段と、を有し、上記コンテンツ提供装置は、上記第二コンテンツを、上記コンテンツＩＤと関連付けて記憶するコンテンツ情報記憶手段と、上記再生装置からの要求に応じて、上記コンテンツＩＤと関連付けて記憶されている第二コンテンツを、上記コンテンツ情報記憶手段から抽出する抽出処理手段と、上記抽出した第二コンテンツを、上記再生処理装置に送信するコンテンツ送信手段と、を有することを特徴とする。
【００１０】
また、本発明の別の観点に係るコンテンツ提供法は、遊技機による遊技によって得られた有価価値に対する景品として提供され、当該遊技に関する第一コンテンツと、当該遊技に関する第二コンテンツを提供するコンテンツ提供装置のネットワーク上の所在を示すＵＲＬ情報と、当該第二コンテンツを識別するコンテンツ識別情報とが記録された記録媒体と、上記第二コンテンツを、上記コンテンツＩＤと関連付けて記憶するコンテンツ情報記憶手段、を有し、上記第二コンテンツを提供するコンテンツ提供装置と、ネットワークを介して通信可能に構成されコンピュータにより、当該遊技に関連したコンテンツを視聴者に提供する方法であって、上記記録媒体から読み込んだＵＲＬ情報に基づき、上記コンテンツ提供装置にアクセスし、上記コンテンツＩＤと関連付けられた第二コンテンツの取得を要求する処理と、上記コンテンツ提供装置から、上記コンテンツＩＤと関連付けられた第二コンテンツを受信する処理と、上記第一コンテンツ及び第二コンテンツを再生する処理と、を実行し、上記コンテンツ提供装置は、上記再生装置からの要求に応じて、上記コンテンツＩＤと関連付けて記憶されている第二コンテンツを、上記コンテンツ情報記憶手段から抽出する処理と、上記抽出した第二コンテンツを、上記再生処理装置に送信する処理と、を実行することを特徴とする。
【００１１】
また、本発明の別の観点に係るコンピュータプログラムは、遊技機による遊技によって得られた有価価値に対する景品として提供され、当該遊技に関する第一コンテンツと、当該遊技に関する第二コンテンツを提供するコンテンツ提供装置のネットワーク上の所在を示すＵＲＬ情報と、当該第二コンテンツを識別するコンテンツ識別情報とが記録された記録媒体と、上記第二コンテンツを、上記コンテンツＩＤと関連付けて記憶するコンテンツ情報記憶手段、を有し、上記第二コンテンツを提供するコンテンツ提供装置と、ネットワークを介して通信可能に構成されコンピュータを、当該遊技に関連したコンテンツを視聴者に提供する再生装置として機能させるためのコンピュータプログラムであって、上記コンピュータに対し、上記記録媒体から読み込んだＵＲＬ情報に基づき、上記コンテンツ提供装置にアクセスし、上記コンテンツＩＤと関連付けられた第二コンテンツの取得を要求する処理と、上記コンテンツ提供装置から、上記コンテンツＩＤと関連付けられた第二コンテンツを受信する処理と、上記第一コンテンツ及び第二コンテンツを再生する処理と、を実行させる。
【発明の効果】
【００１２】
本発明によれば、遊技機による遊技によって得られた端玉との交換に特に好適な記録媒体、及び当該記録媒体を用いたシステムが提供され、適宜、ユーザに新しい内容のコンテンツを提供することができる。
【図面の簡単な説明】
【００１３】
【図１】本発明の実施形態に係る記録媒体が、景品棚に陳列された状態を示す平面図である。
【図２】本実施形態に係る記録媒体、及び記録媒体を収納するケースの外観を示す平面図である。
【図３】本実施形態に係る記録媒体を用いたコンテンツ提供システムの構成を示す機能ブロック図である。
【図４】本実施形態に係る記録媒体を用いたコンテンツ提供システムにおける一連の処理の流れを示すシーケンス図である。
【図５】本実施形態に係る記録媒体を用いたコンテンツ提供システムにおいて、第一コンテンツを再生する画面の構成例を示す図である。
【図６】本実施形態に係る記録媒体を用いたコンテンツ提供システムにおいて、第二コンテンツを再生する画面の構成例を示す図である。
【発明を実施するための形態】
【００１４】
次に、本発明の実施形態について図を参照して説明する。
まず、本実施形態に係る記録媒体の概要について説明する。
記録媒体は、パチンコやスロット等の遊技機による遊技によって得られる有価価値、特に通常の景品との交換の際に残った端玉等と交換する景品（端玉景品）として提供される。
【００１５】
提供に際しては例えば、図１に示されるように、パチンコ店等の景品棚１１に、他の景品と共に陳列することできる。また、厚紙等により作製された所定のケース内１２に、複数の記録媒体１が前後に重ねて収納することで、前方から順に取り出して、遊技者に提供しやすくすることができる。
【００１６】
この記録媒体１は、図２に示されるように、一枚ごとにケース１３に封入されている。
ケース１３の両面には夫々、記録媒体１の内容に関する絵柄や写真、文字等が印刷されている。印刷においては、記録媒体１の内容に応じて、表面（Ａ面）と裏面（Ｂ面）とで内容が異なるものとしてもよい。例えば、表面では、記録媒体１に記憶されているメインコンテンツに関するものを表示し、他方、裏面では、記録媒体１に記憶されているサブコンテンツに関するものを表示する。
【００１７】
なお、本実施形態に係る記録媒体１には、ＤＶＤ（Digital Versatile Disc）やＣＤ（Compact Disc）など、各種のリムーバルディスクを用いることができる。
【００１８】
図３は、本実施形態に係る記録媒体１、及びこの記録媒体１を用いたコンテンツ提供システムの構成を示した機能ブロック図である。
なお、本実施形態についての以下の説明では、記録媒体１に記録されているコンテンツを第一コンテンツといい、コンテンツ提供装置３に記憶され、再生装置２に提供されるコンテンツを第二コンテンツという。
なお、第一コンテンツ及び第二コンテンツは共に、映像や画像、音声などの電子データであり、特にそのファイル形式等に限定はない。
【００１９】
記録媒体１は遊技機による遊技の結果得られる有価価値の景品として提供され、少なくとも、第一コンテンツ、コンテンツＩＤ、及びＵＲＬ情報が記録されている。
【００２０】
コンテンツＩＤは、コンテンツ提供装置３に記憶されている第二コンテンツを識別可能な情報である。
ＵＲＬ情報は、コンテンツ提供装置３のネットワークＮＷ上の所在を示すＵＲＬ（Uniform Resource Locator）であり、これに基づいて、コンテンツ提供装置３にアクセスすることができる。
このＵＲＬ情報は、記録媒体１の再生時において、例えば、ＤＶＤメニューや、再生中の第一コンテンツの所定の箇所において、指定可能に表示される。
また、このＵＲＬ情報は、コンテンツＩＤと関連付けられており、ＵＲＬ情報が指定された際、コンテンツ提供装置１に対する第二コンテンツの取得要求と共に、当該関連付けられたコンテンツＩＤが送信され、取得要求の対象となる第二コンテンツが判別可能となっている。
なお、ＵＲＬ情報に、コンテンツＩＤを引数として含ませてもよい。また、記録媒体１に記録するＵＲＬ情報とコンテンツＩＤの数に特に制限はなく、幾つでも設定することが可能である。
【００２１】
コンテンツ提供システムでは、第一コンテンツ及び第二コンテンツを視聴するユーザが利用する再生装置２と、ユーザに第二コンテンツを提供するコンテンツ提供装置３とがインターネット等のネットワークＮＷを介して通信可能に構成されている。
【００２２】
再生装置２は、いわゆるパーソナルコンピュータにより構成され、再生処理部２１、入出力処理部２２、及び通信処理部２３の各機能ブロックを備える。
なお、本実施形態では、再生装置２として、いわゆるパーソナルコンピュータを想定したが、これに限らず、ネットワークＮＷへの接続が可能なＤＶＤ再生機器等により構成することもできる。
【００２３】
再生処理部２１は、記録媒体１に記録されている第一コンテンツを再生する処理を実行する。この再生処理部２１は、第一コンテンツ及び第二コンテンツを再生する処理を実行する。
また、ユーザからＵＲＬ情報の指定を受け付けた際には、通信処理部２３に対し、当該ＵＲＬ情報が指定するコンテンツ提供装置３へのアクセスを要求し、コンテンツＩＤに係る第二コンテンツの取得要求処理を実行させる。
【００２４】
入出力処理部２２は、キーボードやタッチパネル、ディスプレイ等により構成され、ユーザからのデータの入力を受け付けたり、第一コンテンツや第二コンテンツをディスプレイ上に表示したりする処理を実行する。
【００２５】
通信処理部２３は、コンテンツ提供装置３とインターネット等のネットワークＮＷを介し、所定のプロトコルに従ってデータの送受信処理を実行する処理部であって、Ｗｅｂブラウザ等により実現される。
【００２６】
コンテンツ提供装置３は、ＣＰＵ（Central Processing Unit）、ＣＰＵが実行するコンピュータプログラム、コンピュータプログラムは所定のデータを記憶するＲＡＭ（Random Access Memory）やＲＯＭ（Read Only Memory）、及びハードディスクドライブなどの外部記憶装置により、抽出処理部３１、通信処理部３２、コンテンツＤＢ３３からなる各機能ブロックを構成する。
【００２７】
抽出処理部３１は、再生装置２から受信したコンテンツＩＤに応じて、これと関連付けて記憶されている第二コンテンツを、コンテンツＤＢ３３から抽出する処理を実行する。
【００２８】
通信処理部３２は、再生装置２とインターネット等のネットワークＮＷを介し、コンテンツＩＤや第二コンテンツといったデータの送受信処理を実行する。
【００２９】
コンテンツＤＢ３３は、第二コンテンツを記憶した記憶部である。
このコンテンツＤＢ３３においては、第二コンテンツごとに、当該第二コンテンツを識別するためのコンテンツＩＤが関連付けて記憶されている。これにより、コンテンツＩＤに基づいて第二コンテンツが特定可能となっている。
また、このコンテンツＤＢ３３に記憶される第二コンテンツの内容は、運営者等によって更新することが可能であり、これにより、ユーザに新しい内容の第二コンテンツを提供することができる。
【００３０】
次に、本実施形態に係る記録媒体１を用いたコンテンツ提供システムにおける一連の処理の流れについて、図４を参照して説明する。
まず、ユーザは、遊技機による遊技の結果得られた有価価値と交換して得た記録媒体１を、再生装置２に読み込ませる（Ｓ１０１）。
【００３１】
再生装置２は、再生処理部２１により、記録媒体１に記録されている第一コンテンツを再生する（Ｓ１０２）。第一コンテンツは、図５に示されるように、入出力処理部２２により所定のウィンドウ１０１内に出力され、ユーザは第一コンテンツを視聴することができる。
【００３２】
また、このＵＲＬ情報にはコンテンツＩＤが関連付けられており、第一コンテンツを視聴するユーザが、当該ＵＲＬをクリック等すると、通信処理部２３はＵＲＬ情報に従ってコンテンツ提供装置３にアクセスし、コンテンツＩＤと共に、当該コンテンツＩＤに係る第二コンテンツの取得要求を送信する（Ｓ１０４）。
なお、ＵＲＬ情報は、図５に示されるように、第一コンテンツの再生画像の所定の箇所において、指定することで取得要求がなされる第二コンテンツの情報と共に表示されていてもよいし、ＤＶＤメニューなどにおいて同様に表示するようにしてもよい。
【００３３】
これに応じて、コンテンツ提供装置３が第二コンテンツの取得要求を受信すると（Ｓ１０５）、抽出処理部３１が、コンテンツＤＢ３３を参照して、受信したコンテンツＩＤと関連付けて記憶されている第二コンテンツを抽出する（Ｓ１０６）。
抽出された第二コンテンツは、通信処理部３２により再生装置２に対して送信される（Ｓ１０７）。
【００３４】
再生装置２は、通信処理部２３により、コンテンツ提供装置３から第二コンテンツを受信すると（Ｓ１０８）、再生処理部２１により第二コンテンツを再生する（Ｓ１０９）。
第二コンテンツの再生は例えば、図６に示されるように、第一コンテンツを再生するウィンドウ１０１とは別のウィンドウ２０１内にて再生される。
【００３５】
以上により、ユーザは、記録媒体に固定的に記録されている第一コンテンツのみならず、コンテンツ提供装置３の運営者によって適宜更新可能な第二コンテンツの提供を受けることができる。
また、ユーザから、コンテンツＩＤを受け付け、これを集計することで、ユーザがどのようなコンテンツに興味を持っているか把握することができるなど、マーケティング情報に活用することができる。
【符号の説明】
【００３６】
１      記録媒体
１１    景品棚
１２    ケース
１３    ケース
２      再生装置
２１    再生処理部
２２    入出力処理部
２３    通信処理部
３      コンテンツ提供装置
３１    抽出処理部
３２    通信処理部
３３    コンテンツＤＢ
ＮＷ    ネットワーク
【図１】
2012070909.tif 000003
【図２】
2012070909.tif 000004
【図３】
2012070909.tif 000005
【図４】
2012070909.tif 000006
【図５】
2012070909.tif 000007
【図６】
2012070909.tif 000008